(57)【特許請求の範囲】
【請求項１】
電気自動車の充電時に電気自動車と接続される充電用コネクタと、該充電用コネクタを末端に有する充電用ケーブルとを備え、壁面に取り付けて使用する電気自動車用充電装置であって、
充電装置本体の底面から垂直下方に形成される空間に、不使用時の充電ケーブルを巻き取って支持するケーブル支持具を備え、
該ケーブル支持具を、充電装置本体には包含されていない範囲における充電装置本体の底面または背面から、該充電装置本体の垂直下部中心付近に延設して、さらに床面に対して水平方向に延設して形成した
ことを特徴とする電気自動車用充電装置。
【請求項２】
該充電装置本体を壁面に固定する壁面取付部材を備え、
該ケーブル支持具を、該壁面取付け部材から床面に対して水平方向に延設して形成したことを特徴とする請求項１記載の電気自動車用充電装置。
【請求項３】
該壁面取付部材に、該電気自動車用充電装置を載置する水平片を形成したことを特徴とする請求項２記載の電気自動車用充電装置。
【発明の詳細な説明】
【技術分野】
【０００１】
本発明は電気自動車用充電装置に関するものである。
【背景技術】
【０００２】
近年、脱石油燃料やＣＯ２排出削減ニーズの高まりといった観点から、電気自動車に対する関心が高まると共に、電気自動車用充電装置の普及が求められている。
【０００３】
一般に、電気自動車用充電装置には、先端に充電用コネクタを有する充電用ケーブルが備えられ、充電を行う際に、該電気自動車用充電装置から充電用コネクタを外して、電気自動車に設けたコネクタと接続して使用される。
【０００４】
該充電用コネクタと充電用ケーブルを不使用時に収納しておく構造に関し、該電気自動車用充電装置の外側面に設けたコネクタ収納部とケーブル収納かごに保持させる構造（例えば、特許文献１）が開示されている。
【０００５】
しかし、該電気自動車用充電装置の外側面にコネクタ収納部とケーブル収納かごを設ける構造では、充電用ケーブルの大きな重量が、該電気自動車用充電装置の片側面にかかり、重量バランスが悪いという問題があった。また、該電気自動車用充電装置本体に追加して前記収納用部品が必要となるため、該電気自動車用充電装置の組み付け作業が煩雑となる問題や、コスト高になる問題があった。
【先行技術文献】
【特許文献】
【０００６】
【特許文献１】特開平１１−１２２７１４号公報
【発明の概要】
【発明が解決しようとする課題】
【０００７】
本発明の目的は前記問題を解決し、大きな重量を持つ充電用ケーブルを、簡易な構造により、重量バランスよく保持可能とした電気自動車用充電装置を提供することである。
【課題を解決するための手段】
【０００８】
上記課題を解決するためになされた本発明の電気自動車用充電装置は、電気自動車の充電時に電気自動車と接続される充電用コネクタと、該充電用コネクタを末端に有する充電用ケーブルとを備え、壁面に取り付けて使用する電気自動車用充電装置であって、充電装置本体の底面から垂直下方に形成される空間に、不使用時の充電ケーブルを巻き取って支持するケーブル支持具を備え、該ケーブル支持具を、充電装置本体には包含されていない範囲における充電装置本体の底面または背面から、該充電装置本体の垂直下部中心付近に延設して、さらに床面に対して水平方向に延設して形成したことを特徴とするものである。
【０００９】
請求項２記載の発明は、請求項１記載の電気自動車用充電装置において、該電気自動車用充電装置を壁面に固定する壁面取付部材を備え、該ケーブル支持具を、該壁面取付部材から床面に対して水平方向に延設して形成したことを特徴とするものである。
【００１０】
請求項３記載の発明は、請求項２記載の電気自動車用充電装置において、該壁面取付部材に、該電気自動車用充電装置を載置する水平片を形成したことを特徴とするものである。
【発明の効果】
【００１１】
本発明に係る電気自動車用充電装置は、電気自動車の充電時に電気自動車と接続される充電用コネクタと、該充電用コネクタを末端に有する充電用ケーブルとを備え、壁面に取り付けて使用する電気自動車用充電装置であって、充電装置本体の底面から垂直下方に形成される空間に、不使用時の充電ケーブルを巻き取って支持するケーブル支持具を備え、該ケーブル支持具を、充電装置本体には包含されていない範囲における充電装置本体の底面または背面から、該充電装置本体の垂直下部中心付近に延設して、さらに床面に対して水平方向に延設して形成する構成により、大きな重量を持つ充電用ケーブルを、簡易な構造により、重量バランスよく保持可能とした。
【００１２】
請求項２記載の発明によれば、該電気自動車用充電装置を壁面に固定する壁面取付部材にケーブル支持具を形成し、同一部品に壁面取付機能とケーブル支持機能を設ける構成により、壁掛け式の電気自動車用充電装置の部品点数を削減し、該電気自動車用充電装置の壁面取り付け作業の作業性を向上することができる。
【図面の簡単な説明】
【００１３】
【図１】本発明の電気自動車用充電装置（第１の実施形態）の全体斜視図である。
【図２】図１の側面図である。
【図３】本発明の電気自動車用充電装置（第１の実施形態）の分解斜視図である。
【図４】ケーブル支持具の実施例を示す斜視図である。
【図５】ケーブル支持具の実施例を示す斜視図である。
【図６】ケーブル支持具の実施例を示す斜視図である。
【図７】ケーブル支持具の実施例を示す斜視図である。
【図８】第２の実施形態の説明図である。
【図９】第２の実施形態の説明図である。
【図１０】第３の実施形態の説明図である。
【図１１】第３の実施形態の説明図である。
【発明を実施するための形態】
【００１４】
以下に本発明の好ましい実施形態を示す。
【００１５】
（実施形態１）
図１には、本発明の電気自動車用充電装置の全体説明図を示し、図２には、図１の側面図を示し、図３には、図１の構成説明図を示している。
【００１６】
本発明の電気自動車用充電装置は、図２に示すように、充電装置本体１を壁面に取り付けて使用する壁掛けタイプの充電装置である。
【００１７】
図３に示すように、該充電装置本体１は、電気自動車の充電時に該電源装置と電気自動車とを接続する充電用コネクタ２と充電用ケーブル３を備えている。また、その正面側に、非使用時に充電用コネクタ２を拘束する拘束手段４を備えている。また、該充電装置本体１には、高電圧受電設備等の電力供給源より引き込まれた電気を自動車に供給するため、内部に電源装置（図示しない）や各部を制御する制御部（図示しない）等が収納されている。
【００１８】
該充電装置本体１の上部および下部は、各々、上部壁面取付け部材９および下部壁面取付け部材５によって壁面に固定される。
【００１９】
下部壁面取付け部材５は、上部に充電装置本体１を載置する水平片５ａと、壁面に当接して壁面取付部となる垂直片５ｂとを有している。該垂直片５ｂには孔部が設けられ、該孔部を介して、下部壁面取付け部材５と壁面とがねじ止め固定される。該水平片５ａは、防水シート６を介在させた上で、充電装置本体１の底面にボルト固定される。充電装置を壁に取付ける際に、壁に下部壁面取付け部材を取付け、垂直片５ｂに充電装置本体１を載置することができ、取付け作業性がよい。ただし、下部壁面取付け部材５の形状は、本実施形態のものに限定されず、例えば、水平片５ａを有さない下部壁面取付け部材５を、充電装置本体１の背面にボルト固定してもよい。
【００２０】
該垂直片５ｂの下部は、強度を確保するためにクランク状に折り曲げられている。該クランク状の折り曲げ片５ｃから床面に対して水平方向に向けて、ケーブル支持具７が保持されている。本実施形態では、折り曲げ片５ｃにケーブル支持具７をねじ止め固定することにより、ケーブル支持具７延設しているが、折り曲げ片５ｃとケーブル支持具７が一体成型されたものであってもよい。また、ケーブル支持具７は、下部壁面取付け部材に取付けずに、直接、充電装置本体の底面または背面に取り付けてもよいし、箱本体に一体に形成してもよい。
【００２１】
該ケーブル支持具７は、不使用時の充電用ケーブル３を巻き取って収納する機能を有する。該ケーブル支持具７は、該充電装置本体１の垂直下部中心付近で、床面に対して水平方向に延設されているため、充電用ケーブル３を該ケーブル支持具７に巻き取って収納することにより、大きな重量を持つ充電用ケーブルを重量バランスよく保持することができる。
【００２２】
該ケーブル支持具７に巻き取られる充電用ケーブル３が、該ケーブル支持具７との接触で損傷しないように、該ケーブル支持具７の表面にはコーティング処理が施されている。
【００２３】
該ケーブル支持具７は、ケーブル引掛け部７ａと、該ケーブル引掛け部７ａの前面端部を立ち上げた立ち上げ片７ｂを有し、該立ち上げ片７ｂにより、円弧上のケーブル引掛け部７ａに保持された充電用ケーブル３が、該ケーブル引掛け部７ａからずれ落ちることを防止している。
【００２４】
該ケーブル支持具７の形状は、本実施形態のものに限定されず、例えば、図４〜７に示すように、各種の形状を採用することができる。該ケーブル支持具７の形状を、図４では略コ状に形成し、図５では２本の腕状に形成し、図６および図７では円弧状に形成している。
【００２５】
上部壁面取付け部材９は、板状のもので壁取付部と充電装置取付部を設けたものとしてもよいし、略Ｌ状の板片の各片に壁取付部と充電装置取付部を設けたものとしてもよい。
【００２６】
（第２の実施形態）
図８には、第２の実施形態の全体説明図を示している。本実施形態では、単一の板材を略コ字状に折り曲げ加工することにより、各片を、充電装置固定部８ａと、壁面取付部８ｂと、ケーブル保持部８ｃと、立ち上げ片部８ｄとして機能させることもできる。本実施形態によれば、単一の板材を折り曲げ加工して、下部壁面取付け部材、兼、ケーブル支持具として用いることができる。
【００２７】
なお、図９に示すように、ケーブル保持部８ｃの両端部を下方向に折り曲げて、不使用時の充電用ケーブル３を巻き取りやすい形状としてもよい。
【００２８】
（第３の実施形態）
図１０には、第３の実施形態の全体説明図を示している。本実施形態では、単一の板材をＬ字状に折り曲げ加工して充電装置固定部８ａと、壁面取付部８ｂを形成し、更に、該壁面取付部８ｂの両側部に腕状のケーブル保持用アーム部８ｅを一体形成している。
【００２９】
なお、柔らかいケーブルや細いケーブルであって、巻き取られたケーブル内周が小さくなる場合には、図１１に示すように、ケーブル保持用アーム部８ｅの間隔を小さくすることが好ましい。
【符号の説明】
【００３０】
１    充電装置本体
２    充電用コネクタ
３    充電用ケーブル
４    拘束手段
５    下部壁面取付け部材
５ａ  水平片
５ｂ  垂直片
５ｃ  折り曲げ片
６    防水シート
７    ケーブル支持具
７ａ  ケーブル引掛け部
７ｂ  立ち上げ片
８ａ  充電装置固定部
８ｂ  壁面取付部
８ｃ  ケーブル保持部
８ｄ  立ち上げ片部
８ｅ  ケーブル保持用アーム部
９    上部壁面取付け部材
【図１】
0005640215.tif 000002
【図２】
0005640215.tif 000003
【図３】
0005640215.tif 000004
【図４】
0005640215.tif 000005
【図５】
0005640215.tif 000006
【図６】
0005640215.tif 000007
【図７】
0005640215.tif 000008
【図８】
0005640215.tif 000009
【図９】
0005640215.tif 000010
【図１０】
0005640215.tif 000011
【図１１】
0005640215.tif 000012